(57)【要約】【課題】電子チラシを配信する電子チラシ配信システムにおいて、閲覧された電子チラシに応じてポイントを付加すべきか否かを適切に決定できるようにする。【解決手段】閲覧要求元のユーザの操作に応じて端末装置から要求された電子チラシの送信に応じて端末装置にて閲覧された電子チラシの閲覧履歴をユーザごとに記憶する。また、送信した電子チラシが閲覧ポイントの付与対象である場合に、閲覧要求元のユーザに閲覧ポイントを付与すべきか否かについての判定を閲覧履歴に基づいて行い、閲覧ポイント付与判定部が閲覧ポイントを付与すべきと判定した場合に、閲覧要求元のユーザの閲覧ポイント積算値を更新するように電子チラシ配信装置を構成する。【選択図】図４
2014197251.tif 000002
【特許請求の範囲】
【請求項１】
ネットワークを経由して端末装置と通信を実行する通信部と、
端末装置から送信された閲覧要求が指定する電子チラシを端末装置に送信する電子チラシ送信部と、
前記電子チラシ送信部による電子チラシの送信に応じて端末装置にて閲覧された電子チラシの閲覧履歴をユーザごとに記憶する閲覧履歴記憶部と、
前記電子チラシ送信部が送信する電子チラシが閲覧ポイントの付与対象である場合に、前記閲覧履歴記憶部が記憶する閲覧履歴に基づいて、閲覧要求元のユーザに閲覧ポイントを付与すべきか否かについての判定を行う閲覧ポイント付与判定部と、
前記閲覧ポイント付与判定部が閲覧ポイントを付与すべきと判定した場合に、閲覧要求元のユーザの閲覧ポイント積算値を更新する閲覧ポイント管理部と
を備える電子チラシ配信装置。
【請求項２】
前記閲覧ポイント付与判定部は、
今回の閲覧要求により指定された電子チラシを閲覧要求元のユーザが閲覧済みであることを閲覧履歴が示している場合には、今回の閲覧要求の送信元である端末装置と過去に同じ電子チラシが閲覧された端末装置とが同じであるか否かに係わらず、今回の電子チラシの閲覧に対応して閲覧ポイントを付与すべきでないと判定する
請求項１に記載の電子チラシ配信装置。
【請求項３】
前記閲覧ポイント付与判定部は、
今回の閲覧要求により指定された電子チラシと同じグループに属する電子チラシを閲覧要求元のユーザが閲覧済みであることを閲覧履歴が示している場合には、今回の電子チラシの閲覧に対応して閲覧ポイントを付与すべきでないと判定する
請求項１又は２に記載の電子チラシ配信装置。
【請求項４】
電子チラシの配信に関する条件としてユーザが受け取りを希望する電子チラシの配信対象地域を少なくとも示す配信条件をユーザごとに記憶する配信条件記憶部をさらに備え、
前記閲覧ポイント付与判定部は、
今回の閲覧要求により指定された電子チラシの配信対象地域が、前記配信条件記憶部が記憶する閲覧要求元のユーザの配信対象地域と同じ場合には、今回の電子チラシの閲覧に対応した閲覧ポイントを付与すべきと判定し、
今回の閲覧要求により指定された電子チラシの配信対象地域が、前記配信条件記憶部が記憶する閲覧要求元のユーザの配信対象地域と異なる場合には、今回の電子チラシの閲覧に対応して閲覧ポイントを付与すべきでないと判定する
請求項１から３のいずれか一項に記載の電子チラシ配信装置。
【請求項５】
前記端末装置にて閲覧される電子チラシについての閲覧ポイントの付与の有無について通知するために使用される情報として、前記閲覧ポイント付与判定部による判定結果をさらに送信する
請求項１から４のいずれか一項に記載の電子チラシ配信装置。
【請求項６】
ネットワークを経由して端末装置から送信された閲覧要求が指定する電子チラシを端末装置に送信する電子チラシ送信ステップと、
前記電子チラシ送信ステップが送信する電子チラシが閲覧ポイントの付与対象である場合に、端末装置にて閲覧された電子チラシの閲覧履歴に基づいて、閲覧要求元のユーザに閲覧ポイントを付与すべきか否かについての判定を行う閲覧ポイント付与判定ステップと、
前記閲覧ポイント付与判定ステップが閲覧ポイントを付与すべきと判定した場合に、閲覧要求元のユーザの閲覧ポイント積算値を更新する閲覧ポイント管理ステップと
を備えるポイント管理方法。
【請求項７】
コンピュータに、
ネットワークを経由して端末装置から送信された閲覧要求が指定する電子チラシを端末装置に送信する電子チラシ送信ステップと、
前記電子チラシ送信ステップが送信する電子チラシが閲覧ポイントの付与対象である場合に、端末装置にて閲覧された電子チラシの閲覧履歴に基づいて、閲覧要求元のユーザに閲覧ポイントを付与すべきか否かについての判定を行う閲覧ポイント付与判定ステップと、
前記閲覧ポイント付与判定ステップが閲覧ポイントを付与すべきと判定した場合に、閲覧要求元のユーザの閲覧ポイント積算値を更新する閲覧ポイント管理ステップと
を実行させるためのプログラム。
【発明の詳細な説明】
【技術分野】
【０００１】
本発明は、電子チラシ配信装置、ポイント管理方法及びプログラムに関する。
【背景技術】
【０００２】
ネットワークの利用の普及や情報の電子化の普及などにより、例えばネットワークを経由して広告情報をユーザに提供することが行われるようになってきている。この場合において、広告情報を提供する広告情報の提供者側としては、できるだけ多くのユーザに広告情報を閲覧してもらいたい。
そこで、例えば、広告制御装置により広告を閲覧した場合には、閲覧したことを広告管理サーバに通知し、広告管理サーバが閲覧者のポイントを加算するようにした広告配信システムが知られている（例えば、特許文献１参照)。このように広告の閲覧に応じてポイントが加算されるようにすれば、ユーザは、ポイントを貯めるために積極的に広告情報を閲覧するようになり、この結果、多くのユーザに広告情報を閲覧してもらえるようになる。
【先行技術文献】
【特許文献】
【０００３】
【特許文献１】特開２０１２−１１３３３７号公報
【発明の概要】
【発明が解決しようとする課題】
【０００４】
ポイントは、例えば特許文献１の場合であれば商品券と交換が可能であるなど、金銭的な機能を有する。このために、例えばポイントを貯めることのみを目的とするような広告情報の閲覧にも対応して無制限でポイントを付与することは妥当ではない。したがって、例えば、ポイントを付与することが妥当ではない場合には、広告情報の閲覧が行われてもポイントを付与しないなどというように、閲覧された広告情報に応じてどのようにポイントを付与すべきかについて柔軟に設定できるようにすることが好ましい。
しかし、特許文献１においては、ポイントの付与の態様を変更することについての記載はない。したがって、特許文献１に記載される技術によっては、例えばポイント付与の可否など、閲覧された広告情報に応じてポイントを付加すべきか否かを適切に決定することは難しい。
【０００５】
本発明は、このような事情に鑑みてなされたもので、電子チラシを配信する電子チラシ配信システムにおいて、閲覧された電子チラシに応じてポイントを付加すべきか否かを適切に決定できるようにすることを目的とする。
【課題を解決するための手段】
【０００６】
上述した課題を解決するために、本発明の一態様としての電子チラシ配信装置は、ネットワークを経由して端末装置と通信を実行する通信部と、端末装置から送信された閲覧要求が指定する電子チラシを端末装置に送信する電子チラシ送信部と、前記電子チラシ送信部による電子チラシの送信に応じて端末装置にて閲覧された電子チラシの閲覧履歴をユーザごとに記憶する閲覧履歴記憶部と、前記電子チラシ送信部が送信する電子チラシが閲覧ポイントの付与対象である場合に、前記閲覧履歴記憶部が記憶する閲覧履歴に基づいて、閲覧要求元のユーザに閲覧ポイントを付与すべきか否かについての判定を行う閲覧ポイント付与判定部と、前記閲覧ポイント付与判定部が閲覧ポイントを付与すべきと判定した場合に、閲覧要求元のユーザの閲覧ポイント積算値を更新する閲覧ポイント管理部とを備える。
【０００７】
また、上記の電子チラシ配信装置において、前記閲覧ポイント付与判定部は、今回の閲覧要求により指定された電子チラシを閲覧要求元のユーザが閲覧済みであることを閲覧履歴が示している場合には、今回の閲覧要求の送信元である端末装置と過去に同じ電子チラシが閲覧された端末装置とが同じであるか否かに係わらず、今回の電子チラシの閲覧に対応して閲覧ポイントを付与すべきでないと判定してもよい。
【０００８】
また、上記の電子チラシ配信装置において、前記閲覧ポイント付与判定部は、今回の閲覧要求により指定された電子チラシと同じグループに属する電子チラシを閲覧要求元のユーザが閲覧済みであることを閲覧履歴が示している場合には、今回の電子チラシの閲覧に対応して閲覧ポイントを付与すべきでないと判定してもよい。
【０００９】
また、上記の電子チラシ配信装置において、電子チラシの配信に関する条件としてユーザが受け取りを希望する電子チラシの配信対象地域を少なくとも示す配信条件をユーザごとに記憶する配信条件記憶部をさらに備え、前記閲覧ポイント付与判定部は、今回の閲覧要求により指定された電子チラシの配信対象地域が、前記配信条件記憶部が記憶する閲覧要求元のユーザの配信対象地域と同じ場合には、今回の電子チラシの閲覧に対応した閲覧ポイントを付与すべきと判定し、今回の閲覧要求により指定された電子チラシの配信対象地域が、前記配信条件記憶部が記憶する閲覧要求元のユーザの配信対象地域と異なる場合には、今回の電子チラシの閲覧に対応して閲覧ポイントを付与すべきでないと判定してもよい。
【００１０】
また、上記の電子チラシ配信装置において、前記端末装置にて閲覧される電子チラシについての閲覧ポイントの付与の有無について通知するために使用される情報として、前記閲覧ポイント付与判定部による判定結果をさらに送信してもよい。
【００１１】
また、本発明の一態様としてのポイント管理方法は、ネットワークを経由して端末装置から送信された閲覧要求が指定する電子チラシを端末装置に送信する電子チラシ送信ステップと、前記電子チラシ送信ステップが送信する電子チラシが閲覧ポイントの付与対象である場合に、端末装置にて閲覧された電子チラシの閲覧履歴に基づいて、閲覧要求元のユーザに閲覧ポイントを付与すべきか否かについての判定を行う閲覧ポイント付与判定ステップと、前記閲覧ポイント付与判定ステップが閲覧ポイントを付与すべきと判定した場合に、閲覧要求元のユーザの閲覧ポイント積算値を更新する閲覧ポイント管理ステップとを備えてもよい。
【００１２】
また、本発明の一態様としてのプログラムは、コンピュータに、ネットワークを経由して端末装置から送信された閲覧要求が指定する電子チラシを端末装置に送信する電子チラシ送信ステップと、前記電子チラシ送信ステップが送信する電子チラシが閲覧ポイントの付与対象である場合に、端末装置にて閲覧された電子チラシの閲覧履歴に基づいて、閲覧要求元のユーザに閲覧ポイントを付与すべきか否かについての判定を行う閲覧ポイント付与判定ステップと、前記閲覧ポイント付与判定ステップが閲覧ポイントを付与すべきと判定した場合に、閲覧要求元のユーザの閲覧ポイント積算値を更新する閲覧ポイント管理ステップとを実行させるためのものである。
【発明の効果】
【００１３】
以上説明したように、本発明によれば、電子チラシを配信する電子チラシ配信システムにおいて、閲覧された電子チラシに応じてどのようにポイントを付与すべきかを適切に設定できるようになるという効果が得られる。
【図面の簡単な説明】
【００１４】
【図１】本実施形態に係る電子チラシ配信システムの全体的な構成例を示す図である。
【図２】閲覧ポイント付与対象の電子チラシが閲覧された場合において、電子チラシ配信サーバが実行する閲覧ポイント付与判定の具体例を示す図である。
【図３】本実施形態の端末装置において表示される電子チラシのリストと電子チラシの画像の表示態様例を示す図である。
【図４】本実施形態に係る電子チラシ配信サーバの構成例を示すブロック図である。
【図５】本実施形態に係る電子チラシのデータの構造例を示す図である。
【図６】本実施形態に係る広告元テーブルの構造例を示す図である。
【図７】本実施形態に係る閲覧履歴テーブルの構造例を示す図である。
【図８】本実施形態に係る配信条件テーブルの構造例を示す図である。
【図９】本実施形態に係る閲覧ポイントテーブルの構造例を示す図である。
【図１０】本実施形態に係る端末装置の構成例を示すブロック図である。
【図１１】本実施形態の電子チラシ配信システムがポイントの管理に対応して実行する処理手順例を示すシーケンス図である。
【図１２】本実施形態の電子チラシ配信サーバが実行する閲覧ポイント付与判定のための処理手順例を示すシーケンス図である。
【発明を実施するための形態】
【００１５】
［電子チラシ配信システムの全体構成例］
図１は、本実施形態の電子チラシ配信システムの全体的な構成例を示している。本実施形態の電子チラシ配信システムは、電子チラシ配信サーバ（電子チラシ配信装置）１００、ポイント管理サーバ２００及び端末装置３００を備える。
電子チラシ配信サーバ１００、ポイント管理サーバ２００及び端末装置３００は、それぞれネットワーク４００と接続されている。これにより、電子チラシ配信サーバ１００とポイントカード管理サーバと端末装置３００は、ネットワーク４００を経由して相互に通信が可能である。
【００１６】
電子チラシ配信サーバ１００は、電子チラシ配信業者が運用するサーバであり、電子チラシを端末装置３００に配信する。電子チラシは、広告情報の１つであり、例えば、新聞などの折り込み広告などの形態により配布されるチラシを電子化した広告情報である。
電子チラシ配信サーバ１００には、例えば広告元である各種の店舗やサービス業者などの電子チラシが入稿される。電子チラシの入稿にあたっては、例えば、広告元が所有する端末装置（図示は省略）から電子チラシ配信サーバ１００に対して電子チラシが送信される。
【００１７】
電子チラシ配信サーバ１００は、入稿された電子チラシを記憶したうえで、記憶した電子チラシを端末装置３００に対して配信する。
電子チラシの配信の態様として、電子チラシ配信サーバ１００は、例えば端末装置３００からのアクセスや閲覧要求に応じて、指定された電子チラシを端末装置３００に送信することができる。また、電子チラシ配信サーバ１００は、例えば、電子チラシ配信対象者として登録されているユーザの配信条件に適合した電子チラシのリストを、例えばプッシュ通信により端末装置３００に送信することができる。
【００１８】
ポイント管理サーバ２００は、ポイントカードサービス業者が運用するサーバであり、ポイントカードに付与されるポイントに関する情報を会員であるユーザごとに管理する。
本実施形態において、ポイント管理サーバ２００のポイントカードサービス業者が提供するポイントカードは、ポイントカードサービス業者が提携する複数の店舗やサービス業者などで利用することができる。つまり、会員が提携の店舗などで商品を購入したりサービスを受けた対価を支払ったりするのに応じて、会員が所持するポイントカードにポイントを加算することができる。また、会員は、貯めたポイントを提携の店舗やサービスなどでの支払いに充てるなどして使用することができる。
【００１９】
ポイントに関する情報管理として、ポイント管理サーバ２００は、例えば会員であるユーザごとに、現在のポイント数を管理することができる。また、ポイント管理サーバ２００は、ポイントの加算、使用に関する履歴を管理することができる。また、ポイント管理サーバ２００は、例えば、会員ごとの個人情報も合わせて管理する。ユーザの個人情報は、例えば、会員登録の手続きの際にユーザが入力した情報や、ポイントカードを利用した店舗やサービス業者などの履歴に基づいた情報である。
なお、ポイントカードの態様は、例えば物理的なカードとしての態様に限定されるものではなく、例えば携帯電話やスマートフォンなどに与えられるポイントカード機能としての態様などであってもよい。
【００２０】
また、本実施形態のポイント管理サーバ２００は、ポイント管理のためのポータルサイトを提供している。ユーザが端末装置３００によりポータルサイトにログインすることにより、例えばユーザが現在保有しているポイント数、ポイントの履歴、個人情報の確認及び変更などを行うことができる。
【００２１】
端末装置３００は、ユーザが使用するネットワーク端末である。具体的に、端末装置３００は、例えばパーソナルコンピュータ、携帯電話、スマートフォン、タブレット端末などである。
また、端末装置３００のユーザは、電子チラシの配信対象者として電子チラシ配信サーバ１００に登録されており、かつ、ポイントカードの会員としてポイント管理サーバ２００に登録されている。
【００２２】
本実施形態の端末装置３００は、電子チラシ閲覧アプリケーション３１０がインストールされている。電子チラシ閲覧アプリケーション３１０は、電子チラシ配信サーバ１００から配信される電子チラシを閲覧するためのアプリケーションソフトウェアである。
電子チラシ閲覧アプリケーション３１０が動作する端末装置３００は、例えば、ユーザの操作に応じて電子チラシ配信サーバ１００にアクセスして電子チラシの閲覧要求を送信し、閲覧要求に応じて電子チラシ配信サーバ１００から送信された電子チラシを表示させることができる。
【００２３】
また、電子チラシ閲覧アプリケーション３１０が動作する端末装置３００は、電子チラシ配信サーバ１００からの電子チラシのリストのプッシュ通知に応じて、プッシュ通知とともに送信された電子チラシのリストを記憶し、電子チラシのリストを受信したことのユーザへの通知を所定の態様で実行することができる。
また、電子チラシ閲覧アプリケーション３１０が動作する端末装置３００は、端末装置３００に対するユーザの操作に応じて、プッシュ通知された電子チラシのリストを表示させることができる。電子チラシのリストのうちから電子チラシを選択する操作が行われた場合には、端末装置３００は、上記したように操作により選択された電子チラシの閲覧要求を送信し、閲覧要求に応じて電子チラシ配信サーバ１００から送信された電子チラシを表示させることができる。ユーザは、このように表示される電子チラシの画像を見ることにより、電子チラシを閲覧することができる。
【００２４】
図１に示す電子チラシ配信システムでは、ユーザが、電子チラシ配信サーバ１００から配信された電子チラシを端末装置３００にて閲覧するのに応じてポイントが付与される。そして、閲覧に応じて付与されたポイントは、ポイント管理サーバ２００が管理するポイントに反映させることができる。つまり、本実施形態の電子チラシ配信システムにおいて、電子チラシ配信業者は、ポイントカードサービス業者と提携しているサービス業者の１つである。
なお、以降において、電子チラシの閲覧に応じて発生するポイントを閲覧ポイントと呼び、ポイント管理サーバ２００が管理するポイントをカードポイントと呼び、両者を区別する。
【００２５】
図１を参照して、電子チラシ配信システムにおける、電子チラシの閲覧に応じた閲覧ポイントの付与と閲覧ポイントのカードポイントへの反映に関する基本的な動作例について説明する。
まず、閲覧ポイントの付与を受けるにあたって、端末装置３００のユーザは、電子チラシ閲覧した電子チラシ閲覧アプリケーション３１０を動作させる。そのうえで、ユーザは、電子チラシ閲覧アプリケーション３１０に対する操作により、ステップＳ１として示すように、ポイント管理サーバ２００が提供するポイント管理のためのポータルサイトにログインする。
ログインにあたって、端末装置３００上で動作する電子チラシ閲覧アプリケーション３１０は、電子チラシ配信サーバ１００を経由してポイント管理サーバ２００にアクセスしてログイン要求を行う。ポイント管理サーバ２００においてログイン要求に応じた認証が成立した場合、電子チラシ配信サーバ１００は、例えばポイント管理サーバ２００又は端末装置３００からユーザによるログインが行われたことの通知を受ける。電子チラシ配信サーバ１００は、例えばポイント管理サーバ２００のポータルサイトにログイン中のユーザの端末装置３００に対してのみ、ポイント付与対象の電子チラシを配信する。
【００２６】
次に、電子チラシ配信システムでは、ステップＳ２として示すように、電子チラシ配信サーバ１００から端末装置３００への電子チラシの送信と、送信された電子チラシの端末装置３００上での閲覧が行われる。
ステップＳ２に対応して、ユーザは、電子チラシ閲覧アプリケーション３１０が動作する端末装置３００に対して閲覧のための操作を行う。操作に応じて端末装置３００は、閲覧対象の電子チラシを端末装置３００に送信する。端末装置３００は受信した電子チラシを画面に表示する。ユーザが表示された画像を見ることにより電子チラシの閲覧が行われたことになる。
【００２７】
例えば、電子チラシ配信サーバ１００は、閲覧要求に応じて送信した電子チラシが端末装置３００にて受信されるのに応じて、送信した電子チラシの閲覧が行われたと判断する。電子チラシ配信サーバ１００は、電子チラシの閲覧が行われたのに応じて、ステップＳ３として示すように、閲覧ポイント付与判定と、閲覧ポイント付与判定の判定結果にしたがった閲覧ポイント積算値の更新を行う。
【００２８】
閲覧ポイント付与判定とは、今回のステップＳ２に対応して電子チラシの閲覧要求を送信させるための操作を端末装置３００に対して行ったユーザ（閲覧要求元のユーザ）に対して閲覧ポイントを付与すべきか否かを判定することをいう。具体的に、電子チラシ配信サーバ１００は、閲覧ポイント付与判定として、例えば今回の電子チラシの閲覧に対応して閲覧ポイントを付与すべきか否かを判定する。
【００２９】
電子チラシの閲覧に対応してポイントを付与するにあたっては、例えば、ポイントを貯めることのみを目的としたむやみな電子チラシの閲覧が行われることは妥当ではない。本実施形態の閲覧ポイント付与判定は、このような不適切な電子チラシの閲覧を防止することを主な目的として行われる。
また、本実施形態においては、閲覧に応じて閲覧ポイントが付与される閲覧ポイント付与対象の電子チラシと、閲覧されても閲覧ポイントは付与されない閲覧ポイント付与対象外の電子チラシとがある。閲覧ポイント付与判定にあたっては、まず、閲覧された電子チラシが閲覧ポイント付与対象であるか否かについて判定される。そのうえで、電子チラシ配信サーバ１００は、閲覧ポイント付与判定として、閲覧ポイント付与対象の電子チラシが閲覧された場合において、今回の閲覧に応じて閲覧ポイントを付与すべきか否かを判定する。
【００３０】
閲覧ポイント付与判定により閲覧ポイントを付与すべきと判定した場合、電子チラシ配信サーバ１００は、対応のユーザの閲覧ポイント積算値を更新する。つまり、電子チラシ配信サーバ１００は、今回の電子チラシの閲覧に対応して付与された所定のポイント数をこれまでの閲覧ポイント積算値に加算することにより閲覧ポイント積算値を更新する。
【００３１】
本実施形態において、電子チラシ配信サーバ１００が上記のように管理する閲覧ポイント積算値は、カードポイントに反映される。
閲覧ポイント積算値をカードポイントに反映させるために、電子チラシ配信サーバ１００は、ステップＳ４として示すように、ユーザごとの閲覧ポイント積算値をポイント管理サーバ２００に通知する。例えば、電子チラシ配信サーバ１００は、２４時間（１日)ごとのタイミングで定期的に閲覧ポイント積算値を通知する。
また、電子チラシ配信サーバ１００は、閲覧ポイント積算値の通知にあたり、例えば、ユーザごとの閲覧ポイント積算値の情報を含む閲覧ポイント情報ファイルを作成し、作成した閲覧ポイント情報ファイルをポイント管理サーバ２００に送信する。
また、電子チラシ配信サーバ１００は、閲覧ポイント積算値の通知に応じて、閲覧ポイント積算値を例えば０にリセットする。
【００３２】
閲覧ポイント積算値の通知を受信したポイント管理サーバ２００は、ステップＳ５として示すように、通知された各ユーザの閲覧ポイント積算値を、それぞれ、対応のユーザのカードポイントに反映させる。具体的には、ポイント管理サーバ２００は、例えば通知された閲覧ポイント積算値をカードポイントに加算してカードポイントを更新すればよい。
【００３３】
なお、電子チラシ配信サーバ１００は、例えば閲覧ポイント積算値を更新するごとに、更新した閲覧ポイント積算値を通知するようにしてもよい。この場合には、電子チラシの閲覧に応じた閲覧ポイントの付与が、直ちにポイント管理サーバ２００において管理するカードポイントに反映されるという利点がある。
一方、図１の例のように閲覧ポイント積算値の通知を定期的に行うようにした場合には、通知のための通信頻度が少なくなるために、通信のための処理の負荷やトラフィックが軽減されるという利点がある。
【００３４】
［閲覧ポイント付与判定の具体例］
次に、図２を参照して、閲覧ポイント付与対象の電子チラシが閲覧された場合において、電子チラシ配信サーバ１００が実行する閲覧ポイント付与判定の具体例について説明する。
なお、本実施形態においては、ユーザごとに配信対象地域が指定されている。電子チラシは、例えば、広告元の店舗やサービス拠点などの場所に応じて配信すべき地域（配信対象地域）が設定されている。このように電子チラシについて配信対象地域が設定されているのに応じて、ユーザは、電子チラシの配信を希望する配信対象地域を指定し、電子チラシ配信サーバ１００に登録することができる。ユーザが指定した配信対象地域は、例えば、電子チラシ配信サーバ１００において配信条件として記憶されている。
【００３５】
まず、図２（ａ）には、特定の１人のユーザＹが端末装置αを使用して電子チラシ配信サーバ１００から送信された電子チラシＡを初めて閲覧した場合が示されている。
電子チラシＡは閲覧ポイント付与対象である。そのうえで、電子チラシＡに設定された配信対象地域と、ユーザＹが指定した配信対象地域は、Ａ県Ｂ市で一致している。また、ユーザＹは、電子チラシＡを今回初めて閲覧する。この場合、ユーザＡは、過去において電子チラシＡの閲覧に応じた閲覧ポイントを獲得していない。そこで、この場合の電子チラシ配信サーバ１００は、閲覧ポイントを付与すべきと判定する。
【００３６】
次に、同じユーザＹが、図２（ａ）の電子チラシＡを閲覧した後において、図２（ｂ）に示すように、図２（ａ）のときと同じ電子チラシＡを、図２（ａ）のときとは異なる端末装置βにより閲覧した場合には以下のようになる。
この場合、閲覧要求の送信にあたり、端末装置βは、図２（ａ）のときに端末装置αが送信したのと同じユーザＹのユーザアカウントを閲覧要求に含める。これにより、電子チラシ配信サーバ１００は、図２（ａ）のときと、今回に対応する図２（ｂ）のときとで、同じユーザＹにより、再び電子チラシＡの閲覧要求が行われたことを認識できる。
【００３７】
電子チラシ配信サーバ１００は、このように同じ電子チラシが同じユーザにより再び閲覧された場合には、今回閲覧した電子チラシについてポイントが獲得済みであるとの理由により、閲覧ポイントを付与すべきでないと判定する。
ここで、図２（ｂ）の例では電子チラシの閲覧に端末装置βが使用されており、図２（ａ）のときに使用されていた端末装置αとは異なっているが、電子チラシ配信サーバ１００は、閲覧ポイントを付与すべきでないと判定している。つまり、電子チラシ配信サーバ１００は、ポイントが獲得済みであるとの理由の下では、今回の閲覧要求の送信元である端末装置３００と過去に同じ電子チラシが閲覧された端末装置３００とが同じであるか否かに係わらず閲覧ポイントを付与すべきでないと判定する。
【００３８】
図２（ｂ）の例は、電子チラシの閲覧を促すための閲覧ポイント付与という特典を与えるのは最初の閲覧のみでよいという考え方に基づいている。この場合には、２回目以降の閲覧に応じて閲覧ポイントが付与されてしまわないようにする必要がある。また、この場合において、今回の閲覧と過去の閲覧とで使用する端末装置が異なっているとしても、電子チラシを閲覧しているユーザは今回と過去とで同じであるから、閲覧ポイントを付与する必要性は特にない。このような考え方に基づいて、図２（ｂ）の例では、閲覧ポイントを付与すべきでないと判定している。
なお、図２（ｂ）では、２回目以降の同じ電子チラシの閲覧に対して閲覧ポイントを付与しないものとしているが、例えば、３回目以降における任意の回以降での電子チラシの閲覧に対して閲覧ポイントを付与しないようにしてもよい。
【００３９】
また、図２（ａ）の電子チラシＡを閲覧した後において、図２（ｃ）に示すように、端末装置αにてポイント付与対象の電子チラシＢが閲覧された場合には、以下のように判定が行われる。
電子チラシＢは、図２（ａ）又は図２（ｂ）に示した電子チラシＡとは異なる電子チラシである。ただし、電子チラシＢが属するグループを示すグループＩＤは０１であり、図２（ａ）又は図２（ｂ）に示した電子チラシＡと同じである。
【００４０】
グループＩＤは、電子チラシの広告元の店舗やサービス業者などにおける同じグループや系列ごとの区分を示す識別子である。
例えば、チェーン店などは、同じ店舗名による店舗が各地に展開されている。つまり、１つのグループや系列の下で、複数の店舗が存在する。このようなグループでは、各店舗で同じサービスを提供する場合も多く、この場合には、例えば同じ広告内容の電子チラシが店舗ごとに対応付けられた別の電子チラシとして入稿される。この場合、電子チラシを一意に識別するチラシＩＤについては、同じグループであっても各店舗の電子チラシごとに異なる値が設定される。これに対して、これらの同じグループに属する各店舗の電子チラシのグループＩＤは、対応のグループに付与された同じ値である。
【００４１】
つまり、図２（ｃ）に示す電子チラシＢの広告元は、例えば図２（ａ）、図２（ｂ）に示した電子チラシＡとは異なるが、電子チラシＡと同じグループに属している。このような場合、広告元の店舗は異なるものの、電子チラシＢは、例えば電子チラシＡと同じ内容とみてよい。したがって、電子チラシＡの閲覧の後において電子チラシＢを閲覧した場合には、同じ広告内容の電子チラシを２回閲覧しているのと同じであり、電子チラシＢの閲覧に応じて閲覧ポイントを付与すれば、同じ電子チラシに対して閲覧ポイントの付与が重複して行われるのと同等の結果を生じる。
そこで、図２（ｃ）の場合においても、電子チラシ配信サーバ１００は、図２（ｂ）と同様に、今回閲覧した電子チラシについてはポイントが獲得済みであるとの理由により、閲覧ポイントを付与すべきでないと判定されるようにしている。
【００４２】
また、図２（ａ）の電子チラシＡを閲覧した後において、図２（ｄ）に示すように、端末装置αにてポイント付与対象の電子チラシＣが閲覧された場合には、以下のように判定が行われる。
電子チラシＣは、図２（ａ）、図２（ｂ）及び図２（ｃ）に示した電子チラシＡ、Ｂのいずれとも異なる電子チラシである。電子チラシＣが属するグループを示すグループＩＤは０２であり、電子チラシＡ、Ｂのいずれとも異なっている。
【００４３】
ただし、電子チラシＣに設定された配信対象地域はＣ県Ｄ市であり、ユーザＹが指定する配信対象地域であるＡ県Ｂ市とは異なっている。なお、例えばユーザが指定した配信対象地域外の電子チラシであっても、例えば、ユーザが端末装置３００上で動作する電子チラシ閲覧アプリケーション３１０に対して例えば地域などを指定して電子チラシを検索する操作などを行うことで閲覧は可能である。
【００４４】
例えば、ポイントを貯めることのみを目的とした場合、ユーザが指定した配信対象地域外の地域が配信対象地域として設定されているポイント付与対象の電子チラシを検索していけば、これまでに閲覧していない電子チラシも多く見つけることができてしまう。ユーザが指定した配信対象地域に該当しない電子チラシは、ユーザが閲覧したとしても広告効果が低いと考えてよいので、このような電子チラシの閲覧にまで応じて閲覧ポイントを付与することは妥当でない。
そこで、閲覧した電子チラシに設定された配信対象地域がユーザの指定した配信対象地域と異なっている場合、電子チラシ配信サーバ１００は、今回閲覧した電子チラシはポイント付与対象外であるとの理由で、閲覧ポイントを付与すべきでないと判定する。
【００４５】
［閲覧ポイント付与判定結果に応じた表示態様例］
次に、図３を参照して、閲覧ポイント付与判定結果に応じた端末装置３００の画面の表示態様例について説明する。
図３（ａ）は、端末装置３００の表示部３０３において、電子チラシ配信サーバ１００から送信された電子チラシのリストの画面が表示されている状態を示している。電子チラシのリストの画面においては、複数の電子チラシのサムネイル画像ｔｈｎが配列されている。また、例えば各サムネイル画像ｔｈｎの下側には、広告元の店舗などの名称が表示されている。
また、電子チラシのリストの画面に表示される複数のサムネイル画像ｔｈｎのうち、ポイント付与対象である電子チラシのサムネイル画像ｔｈｎには、ポイント付与対象マークｍｋが重畳して表示される。
【００４６】
電子チラシのリストのデータは、リストに含まれる電子チラシごとに対応するサムネイル画像のデータと、マーク付与フラグを有する。マーク付与フラグは、対応のサムネイル画像のデータをサムネイル画像ｔｈｎとして表示するにあたり、ポイント付与対象マークｍｋを重畳して表示すべきか否かを示すフラグである。
電子チラシのリストの画像を表示する際、端末装置３００は、マーク付与フラグがポイント付与対象マークｍｋを表示すべきことを示している場合には、対応のサムネイル画像ｔｈｎにポイント付与対象マークｍｋを重畳して表示させる。また、端末装置３００は、マーク付与フラグがポイント付与対象マークｍｋを表示すべきでないことを示している場合には、ポイント付与対象マークｍｋを重畳することなく、対応のサムネイル画像ｔｈｎのみを表示させる。
これにより、図３（ａ）に示したように、閲覧ポイント付与対象の電子チラシに対応するサムネイル画像ｔｈｎに対してポイント付与対象マークｍｋが付与された電子チラシのリストの画面が表示される。
【００４７】
また、電子チラシ配信サーバ１００は、端末装置３００に送信すべき電子チラシのリストのデータを生成する際に、リストに含まれる電子チラシごとに対応するマーク付与フラグの値について以下のように設定する。
つまり、電子チラシ配信サーバ１００では、ポイント付与対象の電子チラシを配信する店舗のグループのグループＩＤ（ここでは「ポイント付与グループＩＤ」と呼ぶ）を管理している。そこで、電子チラシ配信サーバ１００では、リストに含まれる電子チラシのうちから、広告元の店舗を含むグループのグループＩＤが、ポイント付与グループＩＤのいずれかと一致する電子チラシを抽出する。
次に、電子チラシ配信サーバ１００は、ポイント付与グループＩＤのいずれかと一致するとして抽出された電子チラシを対象として、さらに、以下の処理を実行する。つまり、電子チラシ配信サーバ１００は、電子チラシのリストのデータの送信先である端末装置３００のユーザが指定した配信対象地域（ここでは、「ユーザ指定配信対象地域」と呼ぶ）と同じ配信対象地域が設定されている電子チラシを抽出する。電子チラシ配信サーバ１００は、このように抽出した電子チラシを閲覧ポイント付与対象として特定する。
そして、電子チラシ配信サーバ１００は、リストに含まれる電子チラシのうちで閲覧ポイント付与対象として特定した電子チラシに対応するマーク付与フラグについてマークの付与有りを示す値を設定する。また、電子チラシ配信サーバ１００は、リストに含まれる電子チラシのうちで閲覧ポイント付与対象として特定していない他の電子チラシに対応するマーク付与フラグについてマークの付与無しを示す値を設定する。
【００４８】
また、上記の例では、ポイント付与対象の電子チラシについてグループ単位で管理しているが、店舗単位で管理するようにしてもよい。
この場合、電子チラシ配信サーバ１００は、例えばポイント付与対象の電子チラシを配信する店舗の店舗ＩＤ（ここでは「ポイント付与店舗ＩＤ」と呼ぶ）を管理すればよい。そのうえで、電子チラシ配信サーバ１００は、リストに含まれる電子チラシのうちから、広告元の店舗の店舗ＩＤが、ポイント付与店舗ＩＤのいずれかと一致する電子チラシを抽出する。
電子チラシ配信サーバ１００は、ポイント付与店舗ＩＤに基づいて抽出した電子チラシを閲覧ポイント付与対象として特定し、マーク付与フラグを設定することができる。あるいは、電子チラシ配信サーバ１００は、ポイント付与店舗ＩＤに基づいて抽出した電子チラシから、さらにユーザ指定配信対象地域と同じ配信対象地域が設定されている電子チラシを抽出し、抽出した電子チラシを閲覧ポイント付与対象として特定し、マーク付与フラグを設定することができる。
【００４９】
また、電子チラシ配信サーバ１００は、ポイント付与対象の電子チラシについて、電子チラシ単位で管理してもよい。
この場合、電子チラシ配信サーバ１００は、ポイント付与対象の電子チラシのチラシＩＤ（ここでは「ポイント付与チラシＩＤ」と呼ぶ）を管理すればよい。そのうえで、電子チラシ配信サーバ１００は、電子チラシ配信サーバ１００は、リストに含まれる電子チラシのうちから、ポイント付与チラシＩＤのいずれかと一致するチラシＩＤの電子チラシを抽出する。
電子チラシ配信サーバ１００は、ポイント付与チラシＩＤに基づいて抽出した電子チラシを閲覧ポイント付与対象として特定し、マーク付与フラグを設定することができる。あるいは、ポイント付与チラシＩＤに基づいて抽出した電子チラシから、さらに、ユーザ指定配信対象地域と同じ配信対象地域が設定されている電子チラシを抽出し、抽出した電子チラシを閲覧ポイント付与対象として特定し、マーク付与フラグを設定することができる。
【００５０】
例えばユーザは、図３（ａ）に示す電子チラシのリストの画面に対して、ポイント付与対象マークｍｋが表示されたサムネイル画像ｔｈｎを選択する操作を行う。サムネイル画像ｔｈｎを選択する操作に応じて、端末装置３００は、選択されたサムネイル画像ｔｈｎに対応する電子チラシの閲覧要求を電子チラシ配信サーバ１００に送信する。
電子チラシ配信サーバ１００は、閲覧要求の受信に応答して閲覧ポイント付与判定を実行し、要求された電子チラシのデータを閲覧ポイント付与判定の判定結果とともに送信する。判定結果として、例えば、ポイントを付与すべきでないと判定した場合には、その理由を示す情報を送信する。
【００５１】
電子チラシ配信サーバ１００から送信された電子チラシと閲覧ポイントを付与すべきとの判定結果とを受信した場合、端末装置３００は、以下のように表示部３０３に表示を行う。つまり、端末装置３００は、図３（ａ）の表示から、図３（ｂ）の電子チラシ配信サーバ１００から送信された電子チラシの画像の表示に切り替えるとともに、電子チラシの画像上にポイント獲得通知画像ｉｎｆ１を重畳して表示する。
ポイント獲得通知画像ｉｎｆ１を見ることで、ユーザは、今回の電子チラシの閲覧によりポイントが発生したことを確認できる。なお、ポイント獲得通知画像ｉｎｆ１は、例えば、ユーザがポイント獲得通知画像ｉｎｆ１に対するタッチ操作などを行うことにより消去することができる。
【００５２】
また、電子チラシ配信サーバ１００が閲覧ポイントを付与すべきでないと判定した場合として、ポイント獲得済みの理由を含む判定結果とともに電子チラシが送信された場合、端末装置３００は、図３（ｃ）に示すように表示部３０３に表示を行う。つまり、端末装置３００は、図３（ａ）の表示から、図３（ｃ）の電子チラシ配信サーバ１００から送信された電子チラシの画像の表示に切り替えるとともに、電子チラシの画像に対して、ポイント獲得済通知画像ｉｎｆ２を表示する。
ポイント獲得済通知画像ｉｎｆ２を見ることで、ユーザは、今回閲覧した電子チラシは既に閲覧しているためにポイントが発生しないことを確認できる。
【００５３】
なお、例えば図２（ｄ）の場合のように閲覧要求が行われた電子チラシに設定された配信対象地域とユーザが指定している配信対象地域とが異なる場合、電子チラシ配信サーバ１００は、ポイント付与対象外であるとの理由を示す情報とともに電子チラシを送信する。また、ポイント付与対象ではない電子チラシの閲覧要求が行われた場合にも、ポイント付与対象外であるとの理由を示す情報とともに電子チラシを送信する。
このように、ポイント付与対象外であるとの理由の情報が送信された場合、端末装置は、特に通知画像を表示することなく、電子チラシ配信サーバ１００から送信された電子チラシの画像を表示させればよい。
【００５４】
［電子チラシ配信サーバの構成例］
図４は、本実施形態の電子チラシ配信サーバ１００の構成例を示している。電子チラシ配信サーバ１００は、通信部１０１、電子チラシ送信部１０２、閲覧ポイント付与判定部１０３、閲覧ポイント管理部１０４、閲覧ポイント通知部１０５及び記憶部１０６を備える。
【００５５】
通信部１０１は、ネットワーク４００を経由して端末装置３００、ポイント管理サーバ２００と通信を実行する。
電子チラシ送信部１０２は、閲覧要求元のユーザの操作に応じて端末装置３００から要求された電子チラシを端末装置３００に送信する。
【００５６】
閲覧ポイント付与判定部１０３は、閲覧ポイント付与判定を実行する。つまり、閲覧ポイント付与判定部１０３は、電子チラシ送信部１０２が送信する電子チラシが閲覧ポイントの付与対象である場合に、閲覧履歴記憶部１６３が記憶する閲覧履歴に基づいて、閲覧要求元のユーザに閲覧ポイントを付与すべきか否かについての判定を行う。
【００５７】
電子チラシ送信部１０２は、例えば閲覧要求により指定された電子チラシとともに、閲覧ポイント付与判定部１０３による判定結果をさらに送信する。電子チラシ送信部１０２が送信する閲覧ポイント付与判定部１０３による判定結果は、端末装置３００にて閲覧される電子チラシについての閲覧ポイントの付与の有無について通知するために使用される。つまり、端末装置３００に送信された閲覧ポイント付与判定部１０３による判定結果は、図３（ｂ）、図３（ｃ）に示したポイント獲得通知画像ｉｎｆ１、ポイント獲得済通知画像ｉｎｆ２を表示させるのに使用される。
【００５８】
閲覧ポイント管理部１０４は、ユーザごとの閲覧ポイントを管理する。例えば、閲覧ポイント管理部１０４は、閲覧ポイント付与判定部１０３が閲覧ポイントを付与すべきと判定した場合に、閲覧要求元のユーザの閲覧ポイント積算値を更新する。
【００５９】
閲覧ポイント通知部１０５は、図１のステップＳ４として示したように、ポイント管理サーバ２００に対して、ユーザごとの閲覧ポイント積算値を送信する。閲覧ポイント通知部１０５は、閲覧ポイント積算値を送信するにあたり、例えば前述のように、閲覧ポイント情報ファイルとしての形式により定期的に送信すればよい。
【００６０】
記憶部１０６は、電子チラシ配信サーバ１００が利用する各種の情報を記憶する。図４の記憶部１０６は、例えば電子チラシ記憶部１６１、広告元情報記憶部１６２、閲覧履歴記憶部１６３、配信条件記憶部１６４及び閲覧ポイント記憶部１６５を備える。
【００６１】
電子チラシ記憶部１６１は、広告元から入稿された電子チラシを記憶する。
広告元情報記憶部１６２は、電子チラシを入稿している広告元についての所定の情報を有する広告元情報を記憶する。
閲覧履歴記憶部１６３は、電子チラシ送信部１０２により送信された電子チラシが閲覧された閲覧履歴をユーザごとに記憶する。
配信条件記憶部１６４は配信条件をユーザごとに記憶する。配信条件は、電子チラシの配信に関する条件である。本実施形態において、配信条件記憶部１６４が記憶する配信条件は配信対象地域を示す。配信条件が示す配信対象地域は、ユーザが受け取りを希望する電子チラシの配信対象地域を示す。
閲覧ポイント記憶部１６５は、閲覧ポイントに関する情報をユーザごとに記憶する。ユーザごとの閲覧ポイントに関する情報は、例えば具体的には、閲覧ポイント積算値である。
【００６２】
図５は、電子チラシ記憶部１６１が記憶する電子チラシのデータ構造例を示している。
電子チラシは、例えば、ヘッダと、ヘッダに続くチラシデータを含む。ヘッダには、電子チラシについての各種のメタデータが格納される。チラシデータは、電子チラシとしてのコンテンツの実体データである。
ヘッダは、図５に示すように、例えば、チラシＩＤ、店舗ＩＤ、グループＩＤなどを含む。
チラシＩＤは、当該電子チラシを一意に示す識別子である。
店舗ＩＤは、当該電子チラシの広告元としての店舗（実店舗がないサービス業者なども含む）を一意に示す識別子である。
グループＩＤは、当該電子チラシの広告元としての店舗が属するグループを一意に示す識別子である。
【００６３】
広告元情報記憶部１６２は、広告元情報テーブルの構造により広告元情報を記憶する。
図６は、広告元情報記憶部１６２が記憶する広告元情報テーブルの構造例を示している。図６に示すように、広告元情報テーブルは、グループＩＤごとに、閲覧ポイント有無情報、閲覧ポイント付与期間、グループ内店舗情報を対応させた構造である。
【００６４】
グループＩＤは、前述のように電子チラシの広告元である店舗（サービス業者なども含む）のグループ(系列)ごとに割り当てられた識別子である。
閲覧ポイント有無情報は、対応のグループＩＤにより示されるグループに属する店舗が広告元の電子チラシの閲覧に応じて閲覧ポイントが付与されるか否かを示す情報である。
また、広告元は、電子チラシの閲覧に応じて閲覧ポイントを付与すべきとしている場合において、閲覧ポイントを付与する期間（閲覧ポイント付与期間）を設定する場合がある。広告元情報テーブルにおける閲覧ポイント付与期間は、対応の電子チラシについて設定された閲覧ポイント付与期間を示す。図においては、例えば、閲覧ポイント付与期間としての開始日と終了日が示されている。
【００６５】
グループ内店舗情報は、対応のグループＩＤが示すグループに属する店舗の情報を示す。グループ内店舗情報は、例えば、１以上の店舗ＩＤと、当該店舗ＩＤごとに対応付けられた配信対象地域を含む。
店舗ＩＤは、対応のグループに属する店舗を示す識別子である。配信対象地域は、対応の店舗ＩＤが示す店舗が広告元として電子チラシを配信する対象として設定している地域を示す。
【００６６】
閲覧履歴記憶部１６３は、例えば閲覧履歴テーブルの構造により閲覧履歴を記憶する。
図７は、閲覧履歴記憶部１６３が記憶する閲覧履歴テーブルの構造例を示している。図７に示すように、閲覧履歴テーブルは、ユーザＩＤごとに閲覧履歴を対応付けた構造である。
１つのユーザＩＤに対応付けられる閲覧履歴は、例えばチラシＩＤ、グループＩＤ、店舗ＩＤ、閲覧時刻の４つの属性を含むレコードを１以上備える構造である。
チラシＩＤは、閲覧された電子チラシのチラシＩＤである。
グループＩＤは、閲覧された電子チラシの広告元のグループを一意に示すグループＩＤである。
店舗ＩＤは、閲覧された電子チラシの広告元の店舗を一意に示す店舗ＩＤである。店舗ＩＤにより示される店舗は、対応のグループＩＤが示すグループに属する。
閲覧時刻は、電子チラシが閲覧された時刻を示す。閲覧時刻は、例えば、閲覧要求に応答して電子チラシを送信した時刻に基づいて設定すればよい。
【００６７】
配信条件記憶部１６４は、配信条件テーブルとしての構造により配信条件を記憶する。
図８は、配信条件テーブルの構造例を示している。図８に示すように、配信条件テーブルは、ユーザＩＤごとに、例えば配信条件としての配信対象地域を対応付けた構造である。
【００６８】
閲覧ポイント記憶部１６５は、閲覧ポイントテーブルとしての構造により閲覧ポイントに関する情報を記憶する。
図９は、閲覧ポイントテーブルの構造例を示している。図９に示すように、閲覧ポイントテーブルは、ユーザＩＤごとに、閲覧ポイントに関する情報としての閲覧ポイント積算値を対応付けた構造である。
【００６９】
［端末装置の構成例］
図１０は、電子チラシの閲覧機能に対応する端末装置３００の構成例を示している。端末装置３００は、通信部３０１、電子チラシ閲覧処理部３０２、表示部３０３及び操作部３０４を備える。
通信部３０１は、ネットワーク４００を経由して電子チラシ配信サーバ１００、ポイント管理サーバ２００と通信を実行する。
【００７０】
電子チラシ閲覧処理部３０２は、電子チラシの閲覧に関する制御を実行する。電子チラシ閲覧処理部３０２は、例えば図１に示した電子チラシ閲覧アプリケーション３１０が起動されることにより実現される機能部である。
例えば、電子チラシ閲覧処理部３０２は、閲覧対象の電子チラシを選択する操作が操作部３０４に対して行われるのに応じて、選択された電子チラシを指定する閲覧要求を通信部３０１から電子チラシ配信サーバ１００に送信する。
また、電子チラシ閲覧処理部３０２は、電子チラシ配信サーバ１００から送信される電子チラシや電子チラシのリストなどを表示部３０３に表示させるための表示制御を実行する。これにより、例えば図３に示したような画像が表示部３０３に表示される。なお、例えば電子チラシが音声を伴う場合には、音声の再生も行うことができる。
【００７１】
表示部３０３は、電子チラシ閲覧処理部３０２の制御に応じて画像を表示する。
操作部３０４は、端末装置３００が備える操作子や操作デバイスを一括して示している。操作部３０４は、行われた操作に応じた操作信号を出力する。電子チラシ閲覧処理部３０２は、操作信号に応じて所定の処理を実行する。これにより、操作に応じて電子チラシ閲覧アプリケーション３１０が動作する。
【００７２】
［処理手順例］
図１１のシーケンス図は、本実施形態の電子チラシ配信システムがポイントの管理に対応して実行する処理手順例を示している。
まず、端末装置３００と電子チラシ配信サーバ１００は、ステップＳ１０１の処理を実行する。
ステップＳ１０１は、閲覧ポイント通知部１０５による閲覧ポイント積算値の通知が完了してから、次の閲覧ポイント積算値の通知が実行されるまでの一定期間において、例えば端末装置３００に対して閲覧対象の電子チラシを選択する操作が行われるごとに実行されるループ処理である。
【００７３】
ステップＳ１０１において、端末装置３００の電子チラシ閲覧処理部３０２は、操作部３０４に対して閲覧対象の電子チラシを選択する操作が行われるのに応じて、選択された電子チラシについての閲覧要求を電子チラシ配信サーバ１００に対して送信する（ステップＳ１１１）。
【００７４】
ステップＳ１１１により送信された閲覧要求の受信に応答して、電子チラシ配信サーバ１００における閲覧ポイント付与判定部１０３は、閲覧ポイント付与判定を実行する（ステップＳ１１２）。なお、閲覧ポイント付与判定部１０３がステップＳ１１２として実行する閲覧ポイント付与判定の処理手順例については後述する。
【００７５】
電子チラシ送信部１０２は、ステップＳ１１１により送信された閲覧要求の受信に応答して、受信した閲覧要求により指定された電子チラシを電子チラシ記憶部１６１から読み出す。そして、電子チラシ送信部１０２は、電子チラシ記憶部１６１から読み出した電子チラシを、ステップＳ１１２による閲覧ポイント付与判定の判定結果とともに送信する（ステップＳ１１３）。
また、閲覧ポイント管理部１０４は、ステップＳ１１２の閲覧ポイント付与判定の判定結果に基づいて、今回の閲覧要求元のユーザの閲覧ポイント積算数を更新する（ステップＳ１１４）。
【００７６】
これまでの説明から理解されるように、閲覧ポイント付与判定部１０３により閲覧ポイントを付与すべきとの判定結果が得られた場合、閲覧ポイント管理部１０４は、閲覧要求元のユーザのこれまでの閲覧ポイント積算数に、今回の閲覧に応じて付与すべき閲覧ポイントを加算する。また、閲覧ポイントを付与すべきでないとの判定結果が得られた場合には、閲覧ポイント管理部１０４は、特に閲覧ポイント積算数の更新を行わない。
【００７７】
ステップＳ１１３により送信された電子チラシと閲覧ポイント付与判定の判定結果は、端末装置３００の通信部３０１にて受信される。
電子チラシと閲覧ポイント付与判定の判定結果の受信に応じて、電子チラシ閲覧処理部３０２は、受信した電子チラシを画面に表示させる（ステップＳ１１５）。ステップＳ１１５において、電子チラシとともに受信した閲覧ポイント付与判定の判定結果がポイントを付与すべきことを示している場合、電子チラシ閲覧処理部３０２は、例えば図３（ｂ）に例示したように受信した電子チラシの画像に対してポイント獲得通知画像ｉｎｆ１を重畳して表示させる。また、電子チラシとともに受信した閲覧ポイント付与判定の判定結果がポイント獲得済みであるとの理由によりポイントを付与すべきでないことを示している場合、電子チラシ閲覧処理部３０２は、電子チラシの画像にポイント獲得済通知画像ｉｎｆ２を重畳して表示させる。
なお、前述もしたように、電子チラシとともに受信した閲覧ポイント付与判定の判定結果としては、ポイント付与対象外であるとの理由により閲覧ポイントを付与すべきでないことを示している場合もある。この場合、電子チラシ閲覧処理部３０２は、特に、ポイントに関する通知画像を重畳させることなく、電子チラシの画像を表示させればよい。
【００７８】
そして、閲覧ポイント通知部１０５は、閲覧ポイント積算値を通知すべきタイミングに至るのに応じて、ステップＳ１０１により積算されたユーザごとの閲覧ポイント積算値をポイント管理サーバ２００に対して送信する（ステップＳ１０２）。
ポイント管理サーバ２００は、ステップＳ１０２により送信されたユーザごとの閲覧ポイント積算値を利用して、ユーザごとのカードポイントを更新する（ステップＳ１０３）。
カードポイントの更新は、一例として、前述のように、これまでのカードポイントの積算値に対して閲覧ポイント積算値を加算すればよい。これ以外にも、例えば、閲覧ポイント積算値に一定の係数を乗算した値をカードポイントの積算値に積算するようにしてもよい。
【００７９】
図１２のフローチャートは、図１１のステップＳ１１２としての閲覧ポイント付与判定のための処理手順例を示している。
閲覧ポイント付与判定部１０３は、今回の閲覧要求により指定された電子チラシが閲覧ポイント付与対象であるか否かについて判定する（ステップＳ２０１）。
前述のように、電子チラシ送信部１０２は、閲覧要求が指定する電子チラシのデータを電子チラシ記憶部１６１から読み出す。そこで、閲覧ポイント付与判定部１０３は、電子チラシ送信部１０２が読み出した電子チラシのデータのヘッダに含まれるグループＩＤを取得する。次に、閲覧ポイント付与判定部１０３は、広告元情報記憶部１６２が記憶する広告元情報において、電子チラシのデータから取得したグループＩＤに対応付けられている閲覧ポイント有無情報を参照する。
閲覧ポイント付与判定部１０３は、閲覧ポイント有無情報が閲覧ポイントの付与無しを示していれば、今回の閲覧要求により指定された電子チラシは閲覧ポイント付与対象外であると判定する。
一方、閲覧ポイント付与判定部１０３は、閲覧ポイント有無情報が閲覧ポイントの付与有りを示していれば、さらに、広告元情報において、判定対象の閲覧ポイント有無情報と同じグループＩＤに対応付けられている閲覧ポイント付与期間を参照する。
閲覧ポイント付与判定部１０３は、閲覧ポイント付与期間に現在日時が含まれていれば、今回の閲覧要求により指定された電子チラシは閲覧ポイント付与対象であると判定する。一方、閲覧ポイント付与判定部１０３は、閲覧ポイント付与期間に現在日時が含まれていなければ、今回の閲覧要求により指定された電子チラシは閲覧ポイント付与対象外であると判定する。
【００８０】
電子チラシが閲覧ポイント付与対象外である場合（ステップＳ２０１−ＮＯ）、閲覧ポイント付与判定部１０３は、ポイント付与対象外であるとの理由により、閲覧ポイントを付与すべきでないと判定する（ステップＳ２０３）。
一方、電子チラシが閲覧ポイント付与対象である場合（ステップＳ２０１−ＹＥＳ）、閲覧ポイント付与判定部１０３は、さらに以下の判定を実行する。
【００８１】
つまり、閲覧ポイント付与判定部１０３は、今回の閲覧要求により指定された電子チラシに設定された配信対象地域と、今回の閲覧要求の送信元である端末装置３００のユーザ（今回の閲覧要求元のユーザ）が指定する配信対象地域とが同じか否かについて判定する（ステップＳ２０２）。
このために、閲覧ポイント付与判定部１０３は、今回の閲覧要求に応じて電子チラシ送信部１０２が電子チラシ記憶部１６１から読み出した電子チラシのデータのヘッダに含まれる店舗ＩＤを取得する。閲覧ポイント付与判定部１０３は、取得した店舗ＩＤに対応付けられている配信対象地域を広告元情報記憶部１６２が記憶する広告元情報から取得する。
また、閲覧ポイント付与判定部１０３は、配信条件記憶部１６４が記憶する配信条件テーブルから、今回の閲覧要求元のユーザのユーザＩＤに対応付けられた配信対象地域を取得する。
【００８２】
閲覧ポイント付与判定部１０３は、上記のように取得した２つの配信対象地域が異なる場合には（ステップＳ２０２−ＮＯ）、ポイント付与対象外であるとの理由により、閲覧ポイントを付与すべきではないと判定する（ステップＳ２０３）。
一方、取得した２つの配信対象地域が同じである場合（ステップＳ２０２−ＹＥＳ）、閲覧ポイント付与判定部１０３は、さらに以下の判定を実行する。
【００８３】
つまり、閲覧ポイント付与判定部１０３は、今回の閲覧要求により指定された電子チラシと同じグループに属する電子チラシが、今回の閲覧要求元のユーザにより閲覧済みであるか否かについて判定する（ステップＳ２０４）。
ステップＳ２０４の判定にあたり、閲覧ポイント付与判定部１０３は、閲覧履歴記憶部１６３が記憶する閲覧履歴テーブルにおいて、今回の閲覧要求元のユーザを示すユーザＩＤに対応付けられた閲覧履歴に含まれるグループＩＤを検索対象とする。そして、閲覧ポイント付与判定部１０３は、検索対象としたグループＩＤのうちから、今回の閲覧要求により指定された電子チラシのヘッダに含まれているのと同じグループＩＤを検索する。
【００８４】
同じグループＩＤが検索された場合、閲覧ポイント付与判定部１０３は、今回の閲覧要求により指定された電子チラシと同じグループに属する電子チラシが、今回の閲覧要求元のユーザにより閲覧済みであると判定する（ステップＳ２０４−ＹＥＳ）。
この場合、閲覧ポイント付与判定部１０３は、閲覧ポイントが獲得済みであるとの理由により、閲覧ポイントを付与すべきでないと判定する（ステップＳ２０５）。
【００８５】
一方、同じグループＩＤが検索されなかった場合、閲覧ポイント付与判定部１０３は、今回の閲覧要求により指定された電子チラシと同じグループに属する電子チラシが、今回の閲覧要求元のユーザによっては未だ閲覧されていないと判定する（ステップＳ２０４−ＮＯ）。
上記の判定結果が得られた場合、今回の閲覧要求により指定された電子チラシは、閲覧ポイント付与対象であり、今回の閲覧要求元のユーザによっては未だポイントが獲得されていない電子チラシである。そこで、閲覧ポイント付与判定部１０３は、今回の閲覧要求により指定された電子チラシについて、閲覧ポイントを付与すべきであると判定する（ステップＳ２０６）。
【００８６】
なお、今回の閲覧要求元のユーザによって、今回の閲覧要求により指定された電子チラシと同一の電子チラシが過去に閲覧されている場合には、今回の閲覧要求により指定された電子チラシの広告元と同じ店舗の電子チラシを過去に閲覧していることになる。したがって、この場合にも、同じグループの電子チラシが閲覧済みであると判定され（ステップＳ２０４−ＹＥＳ）、閲覧ポイントが獲得済みであるとの理由により、閲覧ポイントを付与すべきでないと判定することができる（ステップＳ２０５）。
つまり、ステップＳ２０４の判定は、今回の閲覧要求により指定されたのと同一の電子チラシを閲覧要求元のユーザが閲覧済みであることを閲覧履歴が示しているか否かについての判定も含んでいる。そして、今回の閲覧要求により指定されたのと同一の電子チラシを閲覧要求元のユーザが閲覧済みである場合には、今回の電子チラシの閲覧に対応して閲覧ポイントを付与すべきでないと判定する。この際には、今回の閲覧要求の送信元である端末装置３００と過去に同じ電子チラシが閲覧された端末装置３００とが同じであるか否かに係わらず、閲覧ポイントを付与すべきでないと判定される。
【００８７】
また、閲覧ポイント付与判定部１０３は、ステップＳ２０４のようにグループＩＤに基づく他に、店舗ＩＤに基づいて閲覧ポイントが獲得済みであるか否かについて判定するようにしてもよい。
この場合の閲覧ポイント付与判定部１０３は、閲覧履歴記憶部１６３が記憶する閲覧履歴テーブルにおいて、今回の閲覧要求元のユーザを示すユーザＩＤに対応付けられた閲覧履歴に含まれる店舗ＩＤを検索対象とする。閲覧ポイント付与判定部１０３は、検索対象とした店舗ＩＤのうちから、今回の閲覧要求により指定された電子チラシのヘッダに含まれているのと同じ店舗ＩＤを検索する。そして、店舗ＩＤが検索されたか否かに応じて、閲覧ポイント付与判定部１０３は、今回の閲覧要求により指定された電子チラシと配信元の店舗が同じ電子チラシが、今回の閲覧要求元のユーザにより閲覧済みであるか否かについて判定する。
閲覧ポイント付与判定部１０３は、閲覧済みであるとの判定結果の場合には、閲覧ポイントが獲得済みであるとの理由により、ステップＳ２０５により閲覧ポイントを付与すべきでないと判定すればよい。また、閲覧ポイント付与判定部１０３は、閲覧済みでないとの判定結果の場合には、ステップＳ２０６により閲覧ポイントを付与すべきであると判定すればよい。
この場合には、店舗単位で電子チラシに閲覧ポイントを付与すべきか否かについて判定できる。
【００８８】
また、閲覧ポイント付与判定部１０３は、チラシＩＤに基づいて閲覧ポイントが獲得済みであるか否かについて判定するようにしてもよい。
この場合の閲覧ポイント付与判定部１０３は、閲覧履歴記憶部１６３が記憶する閲覧履歴テーブルにおいて、今回の閲覧要求元のユーザを示すユーザＩＤに対応付けられた閲覧履歴に含まれるチラシＩＤを検索対象とする。閲覧ポイント付与判定部１０３は、検索対象としたチラシＩＤのうちから、今回の閲覧要求により指定された電子チラシのヘッダに含まれているのと同じチラシＩＤを検索する。そして、チラシＩＤが検索されたか否かに応じて、閲覧ポイント付与判定部１０３は、今回の閲覧要求により指定された電子チラシと同じ電子チラシが、今回の閲覧要求元のユーザにより閲覧済みであるか否かについて判定する。
閲覧ポイント付与判定部１０３は、閲覧済みであるとの判定結果の場合には、閲覧ポイントが獲得済みであるとの理由により、ステップＳ２０５により閲覧ポイントを付与すべきでないと判定すればよい。また、閲覧ポイント付与判定部１０３は、閲覧済みでないとの判定結果の場合には、ステップＳ２０６により閲覧ポイントを付与すべきであると判定すればよい。
この場合には、電子チラシ単位で閲覧ポイントを付与すべきか否かについて判定できる。
【００８９】
また、本実施形態としては、以下のように、図１２のステップＳ２０１、Ｓ２０２における処理を実行してもよい。つまり、例えば電子チラシのデータのヘッダについて、配信対象地域の情報や閲覧ポイントの有無を示す情報などを格納した構造とする。
そのうえで、閲覧ポイント付与判定部１０３は、ステップＳ２０１として、閲覧要求により指定された電子チラシのヘッダに格納される閲覧ポイントの有無を示す情報を参照して、閲覧ポイント付与対象の電子チラシであるか否かの判定を行ってもよい。
また、閲覧ポイント付与判定部１０３は、ステップＳ２０２として、要求された電子チラシのヘッダに格納される配信対象地域の情報を参照することで、閲覧要求により指定された電子チラシに設定された配信対象地域を特定する。そのうえで、閲覧ポイント付与判定部１０３は、特定した配信対象地域と今回の閲覧要求の送信元である端末装置３００のユーザが指定する配信対象地域とが同じであるか否かを判定すればよい。
このような処理によって、閲覧ポイント付与判定部１０３は、閲覧される電子チラシに応じて適切に閲覧ポイントを付与すべきか否かを判定することが可能である。
【００９０】
以上、本発明の実施形態について図面を参照して詳述してきたが、具体的な構成は本実施形態に限られるものではなく、本発明の要旨を逸脱しない範囲の設計等も含まれる。
例えば、閲覧ポイント付与判定部１０３は、閲覧ポイントを付加すべきと判定した場合には、さらに、閲覧履歴や、閲覧対象の電子チラシの属性などに基づいて、付与すべきポイント数も決定するようにしてよい。
また、例えば、電子チラシ配信サーバ１００における電子チラシの配信機能と、閲覧ポイント付与判定機能とをそれぞれ異なる装置で構成したうえで、両者が例えばネットワーク経由での通信により連携して動作するように構成してもよい。
【００９１】
なお、本実施形態における電子チラシ配信サーバ１００の機能を実現するためのプログラムをコンピュータ読み取り可能な記録媒体に記録して、この記録媒体に記録されたプログラムをコンピュータシステムに読み込ませ、実行することにより電子チラシの閲覧に応じた閲覧ポイント管理などを行ってもよい。なお、ここでいう「コンピュータシステム」とは、ＯＳや周辺機器等のハードウェアを含むものとする。
【００９２】
また、「コンピュータシステム」は、ネットワークを利用している場合であれば、ウェブサイトなどの提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムに既に記録されているプログラムとの組み合わせで実現できるものであってもよい。
【符号の説明】
【００９３】
１００  電子チラシ配信サーバ
１０１  通信部
１０２  電子チラシ送信部
１０３  閲覧ポイント付与判定部
１０４  閲覧ポイント管理部
１０５  閲覧ポイント通知部
１０６  記憶部
２００  ポイント管理サーバ
３００  端末装置
３１０  電子チラシ閲覧アプリケーション
【図１】
2014197251.tif 000003
【図２】
2014197251.tif 000004
【図３】
2014197251.tif 000005
【図４】
2014197251.tif 000006
【図５】
2014197251.tif 000007
【図６】
2014197251.tif 000008
【図７】
2014197251.tif 000009
【図８】
2014197251.tif 000010
【図９】
2014197251.tif 000011
【図１０】
2014197251.tif 000012
【図１１】
2014197251.tif 000013
【図１２】
2014197251.tif 000014